(57)【要約】【課題】先端部の切断位置の変更により、軟粘体の絞り出せるラインの本数を適宜選択することのできる絞り出し用袋を提供する。【解決手段】軟粘体収容室を備えた袋本体の先端部に、袋本体内に装填されるマヨネーズを絞り出すための通路部を形成した絞り出し用袋であって、通路部が３つ備えられ、これら各通路部の長さ方向一端は袋本体内の軟粘体収容室に連通するとともに長さ方向他端は閉鎖され、通路部の一つの長さ方向他端がその他の通路部の長さ方向他端よりも先端部の先端側に延び、先端部の切断位置の変更により、開口する通路部の数を選択可能とした。【選択図】図２
2016107992.tif 000002
【特許請求の範囲】
【請求項１】
軟粘体収容室を備えた袋本体の先端部には、袋本体内に装填されるマヨネーズなどの軟粘体を絞り出すための通路部が形成された絞り出し用袋であって、前記通路部が複数備えられ、これら各通路部の長さ方向一端は袋本体内の軟粘体収容室に連通するとともに長さ方向他端は閉鎖されており、前記複数の通路部の少なくとも一つの長さ方向他端がその他の通路部の長さ方向他端よりも先端部の先端側に延び、前記先端部の切断位置の変更により、開口する通路部の数を選択可能としていることを特徴とする絞り出し用袋。
【発明の詳細な説明】
【技術分野】
【０００１】
本発明は、マヨネーズやクリームなどの軟粘体の絞り出し用袋に関する。
【背景技術】
【０００２】
従来のマヨネーズなどを装填する絞り出し用袋は、重ね合わせた２枚のプラスチックシートの周辺部を例えばヒートシール処理して形成した袋体から構成されるとともに、この袋体の長さ方向一端側には、二等辺三角形状に形成した先端部が形成され、この先端部には、袋体内に装填されるマヨネーズなどの軟粘体を絞り出すための通路部が複数本形成されている。
そしてこの絞り出し用袋は、通路部が設けられた先端部を幅方向にカットして複数本の通路部を開口させることで、軟粘体の絞り出し口を形成して、その絞り出し口からマヨネーズなどの軟粘体を複数本のライン状に絞り出せるようにしている。（特許文献１参照）
【０００３】
しかしながら前記した文献に開示されている絞り出し用袋では、袋体の先端部を幅方向にカットするに伴い、先端部に形成された複数本の通路部がすべて開口し、開口する通路の本数を希望する数、例えば１つだけとすることは難しい。
なお、袋体の先端部を幅方向に部分的に切断することで、例えば一つの通路だけを開口させることも可能ではあるが、その場合、部分的切断部分が切り落とされずに袋体に残るため、軟粘体等をライン状に絞り出す際、袋体の先端部に残る一部切断片が絞り出される軟粘体に接触して、軟粘体を綺麗にライン状に絞り出すことが出来ない不具合も考えられる。
【先行技術文献】
【特許文献】
【０００４】
【特許文献１】特開２０１４−４３２７４号
【発明の概要】
【発明が解決しようとする課題】
【０００５】
本発明は、先端部の切断位置の変更により、軟粘体の絞り出せるラインの本数を選択することのできる絞り出し用袋を提供することにある。
【課題を解決するための手段】
【０００６】
以上の目的を達成するために、請求項１に記載の発明は、軟粘体収容室を備えた袋本体の先端部には、袋本体内に装填されるマヨネーズなどの軟粘体を絞り出すための通路部が形成された絞り出し用袋であって、
前記通路部が複数備えられ、これら各通路部の長さ方向一端は袋本体内の軟粘体収容室に連通するとともに長さ方向他端は閉鎖されており、前記複数の通路部の少なくとも一つの長さ方向他端がその他の通路部の長さ方向他端よりも先端部の先端側に延び、前記先端部の切断位置の変更により、開口する通路部の数を選択可能としていることを特徴とする
【発明の効果】
【０００７】
本発明の絞り出し用袋によれば、先端部の切断位置の如何により、例えば通路部の開口数を例えば一つだけにして、一筋のラインを絞り出したり、あるいは通路部の開口数を３個にして、三筋のラインを絞り出したりすることが選択することが出来る。
換言すれば、一つの絞り出し用袋により、使用の目的に合わせて絞り出せるライン数を  適宜選択することが可能となる。
【図面の簡単な説明】
【０００８】
【図１】軟粘体を充填する前の絞り出し用袋の平面図。
【図２】軟粘体を充填した後の絞り出し用袋の平面図。
【図３】図２におけるＣ−Ｃ線拡大断面図。
【図４】絞り出し用袋の別の実施形態を示す要部の平面図。
【図５】図６におけるＤ−Ｄ線拡大断面図。
【図６】図６におけるＥ−Ｅ線拡大断面図。
【図７】図６におけるＦ−Ｆ線拡大断面図。
【図８】図２におけるＡ−Ａ線断面図。
【図９】図２におけるＢ−Ｂ線拡大断面図。
【発明を実施するための形態】
【０００９】
以下、本発明の実施形態を説明する。
図において符号１で示す絞り出し用袋は、表裏の２枚のプラスチック製シート片１１・１２の周縁をヒートシール処理して、袋状としたものである。
具体的には、所定長さのシート片１１・１２の長さ方向一端部（下端部）が先細となるように切断されて、平面視二等辺三角形とした先細の先端部がシート片１１・１２の長さ方向一端部に設けられている。
そして重ね合せたこれらのシート片１１・１２の左右両側縁部並びに先細となった先端部２の左右底縁部と中央底縁部がヒートシールまたは超音波シールされて(図中、破線によりハッチングした部分)、上端が開口した袋状の袋本体２を構成し、その袋本体２内に軟粘体収容室Ｓが設けられている。
換言すれば、軟粘体収容室Ｓは、表裏シート片１１・１２の左右両側縁シール部３１・３２と表裏シート片１１・１２の先端部における左右底側縁シール部３３・３４と中央底縁シール部３５により画成されている。
【００１０】
また袋本体２の先端部には、軟粘体収容室Ｓに充填された軟粘体Ｐを絞り出すための３か所の通路部４・５・６が形成されている。
これら各通路部４・５・６の長さ方向一端は、袋本体２内の軟粘体収容室Ｓに連通するとともに長さ方向他端は閉鎖されている。
そして、３つの通路部４・５・６中、中央に位置する通路部５の長さ方向他端が左右側方に位置する２つの通路部４・６の長さ方向他端よりも先端部の先端側に延び、先端部の切断位置の変更により、開口する通路部の数が３つ（４・５・６）の場合と１つ（５）の場合とに選択可能としている。
【００１１】
また開口する通路部の数を３つとする場合の切断位置(図２においてＢ‐Ｂ線)と１つの場合の切断位置(図２においてＣ−Ｃ線)には、先端部の側縁部にそれぞれノッチ７１・７２が形成され、ノッチ７１・７２部分から先端部の先を手指で幅方向に切断できるようにしている。
なおシート片１１・１２は、内層がヒートシール性のプラスチックフィルムから成り、外層が直線カット性のプラスチックフィルムから成る積層プラスチックシートが使用されている。
【００１２】
以上の構造からなる絞り出し用袋１では、袋本体２の上端開口から例えばマヨネーズ等の軟粘体Ｐを軟粘体収容室Ｓに収容した後、袋本体２の上端をヒートシール処理する(図２において１点破線でハッチングした部分)ことで、軟粘体Ｐを軟粘体収容室Ｓに密閉して用いるのである。
そして以上の絞り出し用袋１より軟粘体Ｐを例えば３本のラインに絞り出したい場合には、ノッチ７１を介して先端部の先端側を切断するのであって、これにより図４に示すように、３本の通路部４・５・６が切断位置で袋本体２外に開口する。
この状態から袋本体２を圧縮すれば、軟粘体収容室Ｓ内の軟粘体Ｐが３本の通路部４・５・６の開口からそれぞれ流出して、３本のライン状の軟粘体Ｐを絞り出すことが出来る。
【００１３】
一方絞り出し用袋１より軟粘体Ｐを例えば１本のラインに絞り出したい場合には、ノッチ７２を介して先端部の先端側を切断するのであって、これにより図５に示すように、中央の通路部５のみが切断線で袋本体２外に開口する。
この状態から袋本体２を圧縮すれば、軟粘体収容室Ｓ内の軟粘体Ｐが中央の通路部５の開口だけから流出して、１本のライン状の軟粘体Ｐを絞り出すことが出来る。
【００１４】
以上の実施形態では、３つの通路部４・５・６中、中央に位置する通路部５の長さ方向他端が左右側方に位置する２つの通路部４・６の長さ方向他端よりも先端部の先端側に延び、先端部の切断位置の変更により、開口する通路部の数が３つ４・５・６の場合と１つ５の場合とに選択可能としたが、これに限定されるものてばなく、例えば図６に示すように構成してもよい。
即ち、図６に示す絞り出し用袋１０は、３つの通路部４・５・６中、中央に位置する通路部５の長さ方向他端が左右側方に位置する２つの通路部４・６の長さ方向他端よりも先端部の先端側に延び、且つ右側に位置する通路部６が左側に位置する通路部４よりも先端部の先端側に延びて、先端部の切断位置の変更により、開口する通路部の数が３つ（４・５・６）の場合と、２つ（５・６）の場合と、１つ（５）の場合とに選択可能としている。
【００１５】
図６に示す絞り出し用袋１０では、ノッチ７３を介して先端部の先端側を切断すると、図７に示すように、３本の通路部４・５・６が切断線で袋本体２外に開口するのであって、この状態から袋本体２を圧縮すれば、軟粘体収容室Ｓ内の軟粘体Ｐが３本の通路部４・５・６の開口からそれぞれ流出して、３本のライン状の軟粘体Ｐを絞り出すことが出来る。
またノッチ７４を介して先端部の先端側を切断すると、図８に示すように、２本の通路部・５・６が切断線で袋本体２外に開口するのであって、この状態から袋本体２を圧縮すれば、軟粘体収容室Ｓ内の軟粘体Ｐが２本の通路部５・６の開口からそれぞれ流出して、２本のライン状の軟粘体Ｐを絞り出すことが出来る。
さらにノッチ７５を介して先端部の先端側を切断すると、図９に示すように、１本の通路部５が切断線で袋本体２外に開口するのであって、この状態から袋本体２を圧縮すれば、軟粘体収容室Ｓ内の軟粘体Ｐが中央の通路部５の開口のみから流出して、１本のライン状の軟粘体Ｐを絞り出すことが出来る。
【００１６】
また以上の実施形態では、袋本体２の先端部に３本の通路部４・５・６を形成したが、これに限定されるものではなく、例えば２本または４本設けてもよい。
また以上の実施形態では、シート片１１・１２の左右両側縁部等をヒートシール処理したが、これに限定されるものではなく、例えば超音波シール処理してもよい。
【符号の説明】
【００１７】
１・１０      絞り出し用袋
１１・１２    シート片
２            袋本体
３１          側縁シール部
３２          側縁シール部
３３          底側縁シール部
３４          底側縁シール部
３５          中央底縁シール部
４            通路部
５            通路部
６            通路部
７１・７２・７３・７４・７５  ノッチ
Ｓ            軟粘体収容室
Ｐ            軟粘体
【図１】
2016107992.tif 000003
【図２】
2016107992.tif 000004
【図３】
2016107992.tif 000005
【図４】
2016107992.tif 000006
【図５】
2016107992.tif 000007
【図６】
2016107992.tif 000008
【図７】
2016107992.tif 000009
【図８】
2016107992.tif 000010
【図９】
2016107992.tif 000011